(57)【特許請求の範囲】
【請求項１】
半導体モジュールであって、
半導体素子で発生する熱の伝熱経路に設けられており、第１熱膨張率を有する第１部材と、
前記半導体素子で発生する熱の伝熱経路に設けられており、前記第１熱膨張率とは異なる第２熱膨張率を有しており、前記第１部材に対向する表面に溝が形成されている第２部材と、
前記第２部材の前記溝内に設けられており、球状の形態を有しており、前記第１部材と前記第２部材の双方に点接触している接触部材と、
前記第２部材の前記溝内に設けられている放熱グリスと、
前記第２部材の前記溝内の表面に設けられている包囲壁と、を備え、
前記包囲壁は、平面視したときに前記接触部材の周囲を一巡しており、前記接触部材と前記第２部材の面方向の相対変位を禁止する半導体モジュール。
【請求項２】
前記放熱グリスは、平面視したときに前記半導体素子の少なくとも中央部を含む範囲に配置されている請求項１に記載の半導体モジュール。
【発明の詳細な説明】
【技術分野】
【０００１】
本発明は、半導体素子が搭載される半導体モジュールに関する。
【背景技術】
【０００２】
例えば、サイリスタ、ＭＯＳＦＥＴ（Metal Oxide Semiconductor Field Effect Transistor）、ＩＧＢＴ（Insulated Gate Bipolar Transistor）、ダイオード等のパワーデバイスを含む半導体素子は、絶縁基板を介して冷却器に搭載して用いられることが多い。このような半導体素子と絶縁基板と冷却器で構成される半導体モジュールの一例が、特許文献１に開示されている。
【０００３】
この種の半導体モジュールでは、搭載される半導体素子がＯＮ・ＯＦＦを繰返すことにより、半導体素子自体が高温の発熱体となる。半導体素子で発生した熱は、絶縁基板を介して冷却器に伝熱され、冷却器によって外部に放熱される。
【先行技術文献】
【特許文献】
【０００４】
【特許文献１】特開２００６−２９４６９９号公報
【発明の概要】
【発明が解決しようとする課題】
【０００５】
半導体素子と冷却器の間の伝熱経路には、目的に応じて様々な層が介在している。その一例が絶縁基板であり、半導体素子で制御される電流が冷却器に漏洩するのを防止するために設けられている。
【０００６】
通常、絶縁基板と冷却器は、はんだ層を介して接合されることが多い。絶縁基板に用いられる材料と冷却器に用いられる材料は異なっており、異なる熱膨張率を有する。このため、絶縁基板と冷却器が熱の変化に曝されると、絶縁基板と冷却器の熱膨張量に相違が生じる。これにより、絶縁基板と冷却器の間のはんだ層には大きな応力が加わり、はんだ層の破損又は絶縁基板の変形といった事態が発生してしまう。いずれの場合も半導体モジュールの冷却特性が悪化することから、半導体モジュールの信頼性が低下してしまう。
【０００７】
上記では、絶縁基板と冷却器の間の熱膨張差に起因する課題を説明したが、同様の課題は、半導体素子で発生する熱の伝熱経路に存在する様々な部材間で起こり得る。本明細書では、半導体素子で発生する熱の伝熱経路に存在する部材間に印加される応力を緩和する技術を提供することを目的としている。
【課題を解決するための手段】
【０００８】
本明細書で開示される技術は、半導体モジュールに具現化される。半導体モジュールは、第１部材と第２部材と接触部材を備えている。第１部材は、半導体素子で発生する熱の伝熱経路に設けられており、第１熱膨張率を有する。第２部材は、半導体素子で発生する熱の伝熱経路に設けられており、第１熱膨張率とは異なる第２熱膨張率を有する。接触部材は、第１部材と第２部材の間に設けられており、第１部材と第２部材の少なくともいずれか一方に対して点接触又は線接触している。この態様の半導体モジュールでは、第１部材と第２部材が異なる熱膨張率を有しており、熱変化に曝されたときに、第１部材と第２部材の熱膨張量に相違が生じる。本明細書で開示される半導体モジュールでは、第１部材と第２部材の間に接触部材が設けられており、その接触部材は第１部材と第２部材の少なくともいずれか一方に対して点接触又は線接触していることを特徴としている。例えば、接触部材が第１部材に対して点接触又は線接触している場合、第１部材は、接触部材に対して強固に拘束されないので、接触部材に対して面方向に摺動可能となっている。このため、第１部材と第２部材が熱変化に曝されて第１部材と第２部材の熱膨張量に相違が生じたとしても、第１部材が接触部材に対して摺動することにより、第１部材と第２部材の間の応力が緩和される。この結果、第１部材と第２部材が熱変化に曝されたとしても、第１部材と第２部材の間には過大な応力が加わることがないので、信頼性の高い半導体モジュールが得られる。
【０００９】
本明細書で開示される半導体モジュールは、第１部材と第２部材の間に設けられている放熱グリスをさらに備えているのが望ましい。第２部材には、第１部材に対向する表面に溝が形成されている。接触部材と放熱グリスは、その溝内に設けられている。この態様の半導体モジュールでは、第１部材と第２部材の間の溝によって間隙が形成されており、その間隙に接触部材と放熱グリスが充填されている。この態様の半導体モジュールでは、接触部材による応力緩和と放熱グリスによる冷却特性の向上が両立されている。また、放熱グリスが冷却器の表面に形成された溝内に設けられているので、高温下であっても放熱グリスが冷却器の表面から漏出することが抑制されている。
【００１０】
放熱グリスは、平面視したときに、半導体素子の少なくとも中央部を含む範囲に配置されているのが望ましい。半導体素子における面方向の温度分布は、中央部が最も高くなる。したがって、この中央部に対応して放熱グリスが設けられていると、高い冷却特性が得られる。
【００１１】
接触部材は、球状の形態を有していてもよい。この接触部材は、第１部材と第２部材の双方に点接触している。この態様の接触部材が設けられていると、第１部材と第２部材は、その面方向内の任意の方向に相対変位することが許容される。したがって、この態様の接触部材によると、面方向内の任意の方向の熱膨張に対応することができる。
【００１２】
本明細書で開示される半導体モジュールは、第２部材の表面のうちの第１部材に対向する表面に設けられている包囲壁をさらに備えているのが望ましい。この包囲壁は、平面視したときに、接触部材の周囲を一巡して接触部材と第２部材の面方向の相対変位を禁止する。この態様の半導体モジュールでは、接触部材が第２部材に対して所望の位置に位置決めされるので、接触部材を必要な位置に正確に配置することができる。
【発明の効果】
【００１３】
本明細書で開示される半導体モジュールでは、半導体素子で発生する熱の伝熱経路に存在する部材間に印加される応力が緩和される。
【図面の簡単な説明】
【００１４】
【図１】半導体モジュールの構成を示す。
【図２】冷却器の分解平面図を示す。
【発明を実施するための形態】
【００１５】
本明細書で開示される技術の特徴を整理しておく。
（第１特徴）接触部材は、第１部材と第２部材の少なくともいずれか一方に対して点接触又は線接触しており、第１部材と第２部材が熱変化に曝されたときに、第１部材と第２部材の面方向の相対変位を許容することができる。より詳細には、接触部材は、常温において垂直方向に対向する第１部材の第１部位と第２部材の第２部位に関し、熱変化に曝されたときに、それら第１部位と第２部位の面方向の相対変位を許容することができる。
（第２特徴）第１部材と第２部材の組合わせには、絶縁基板と冷却器、半導体素子と絶縁基板、半導体素子とリード電極板が含まれる。
（第３特徴）接触部材は、曲面を有しており、その曲面で第１部材と第２部材の少なくともいずれか一方に対して点接触又は線接触している。
（第４特徴）接触部材には、熱伝導率が高く、硬い材料を用いるのが望ましい。好ましくは、接触部材には金属を用いるのが望ましい。
（第５特徴）冷却器は、ヒートシンクとヒートスプレッダを組合わせた構造であってもよい。この場合、接触部材は、絶縁基板とヒートスプレッダの間に設けられてもよく、ヒートシンクとヒートスプレッダの間に設けられてもよい。
（第６特徴）半導体モジュールは、絶縁基板を冷却器に向けて加圧する加圧手段を備えているのが望ましい。このような加圧手段の一例としては、半導体素子の表面に設けられているリード電極板が挙げられる。リード電極板が半導体素子と絶縁基板を冷却器に向けて加圧することにより、半導体素子と絶縁基板がリード電極板と冷却器の間で挟持される。あるいは、加圧手段の他の一例としては、絶縁基板の端部に接触して設けられている部材でもよい。このような部材としては、絶縁基板の端部と冷却器の双方に接触する樹脂が挙げられる。
（第７特徴）半導体素子は、ワイドバンドギャップの材料で形成されたパワー半導体素子である。そのようなパワー半導体素子は、２００℃以上の高温動作での使用が想定されていることから、伝熱経路の部材間の応力緩和が重要である。本明細書で開示される技術は、そのようなパワー半導体素子が搭載される半導体モジュールにおいて特に有用である。
【実施例】
【００１６】
図１に、車載用の半導体ジュール１の構成を示す。半導体モジュール１は、直流電源と交流モータの間に接続されるインバータ回路に用いられる。半導体モジュール１は、冷却器１０と絶縁基板２０と半導体素子４４とリード電極板４８を備えている。
【００１７】
冷却器１０は、半導体素子４４で発生した熱を放熱するために用いられている。冷却器１０は、水冷式であり、冷却水が流動する複数の貫通孔を備えている。一例では、冷却器１０の材料にアルミニウムが用いられており、その線膨張率は約２３×１０−６／Ｋである。
【００１８】
絶縁基板２０は、冷却器１０と半導体素子４４の間に設けられており、第１配線層２２と絶縁層２４と第２配線層２６が積層した構造を備えている。第１配線層２２が冷却器１０側に配置されており、第２配線層２６が半導体素子４４側に配置されている。一例では、第１配線層２２と第２配線層２６の材料に銅が用いられている。絶縁層２４の材料にはセラミックが用いられており、一例では窒化ケイ素（Si3N4）が用いられている。絶縁基板２０では、第１配線層２２と第２配線層２６の厚みが絶縁層２４の厚みに比して十分に小さいので、絶縁基板２０の熱膨張率は絶縁層２４の熱膨張率が支配的となる。この例では、絶縁基板２０の線膨張率は絶縁層２４の線膨張率としてもよく、約２．３×１０−６／Ｋである。
【００１９】
半導体素子４４には、ＭＯＳＦＥＴ（Metal Oxide Semiconductor Field Effect Transistor）又はＩＧＢＴ（Insulated Gate Bipolar Transistor）のパワーデバイスが用いられている。半導体材料には、ワイドバンドギャップの材料が用いられており、典型的には炭化ケイ素、窒化ガリウムが用いられている。半導体素子４４と絶縁基板２０は、Ｚｎ−Ａｌ系のはんだ層４２を介して接合されている。
【００２０】
リード電極板４８は、はんだ層４６を介して半導体素子４２に接合されている。リード電極板４８は、半導体素子４４の表面の電極（例えば、ゲート電極及びエミッタ電極）に対して外部回路との間の電気的な接続を提供する。リード電極板４８は、半導体素子４４と絶縁基板２０を冷却器１０側に向けて加圧している。
【００２１】
半導体モジュール１はさらに、包囲壁３２と接触部材３４と放熱グリス３６を備えている。包囲壁３２と接触部材３４と放熱グリス３６は、冷却器１０の表面に形成されている溝１０ａ内に設けられている。
【００２２】
包囲壁３２は、冷却器１０の溝１０ａの底面から突出するように形成されている。一例では、包囲壁３２は、冷却器１０の表面を加工することによって形成することができ、冷却器１０と一体である。包囲壁３２は、平面視したときに（図２参照）、接触部材３４の周囲を一巡するとともに、接触部材３４に接触している。包囲壁３２は、接触部材３４と冷却器１０が対向する方向（紙面上下方向）に対して垂直な方向（紙面左右方向であり、以下、面方向という）の相対変位を禁止しており、接触部材３４を冷却器１０に対して所望の位置に位置決めさせている。
【００２３】
接触部材３４は、直径が略１０〜１５０μｍの球状の形態を有しており、その材料にはニッケルが用いられている。接触部材３４は、冷却器１０の表面に点接触するとともに、絶縁基板２０の表面にも点接触している。図２に示されるように、この例では、４つの接触部材３４が冷却器１０と絶縁基板２０の間に配置されている。接触部材３４はいずれも、平面視したときに、半導体素子４４の存在範囲（図２に破線で示す）の周囲に配置されている。
【００２４】
放熱グリス３６は、冷却器１０の表面の溝１０ａ内を充填するように設けられている。放熱グリス３６の材料には、シリコン系のマトリクスにセラミック系のフィラーが含有されている。
【００２５】
半導体モジュール１はさらに、スポンジ状の樹脂部材５２と金属板５６を備えている。樹脂部材５２は、冷却器１０上に設けられており、平面視したときに、冷却器１０の表面の溝１０ａの周囲を一巡している。樹脂部材５２は、絶縁基板２０の絶縁層２４の端部に接合するとともに、絶縁基板２０を冷却器１０側に向けて加圧している。金属板５６は、樹脂部材５２で囲まれている空間５４に蓋をするように、樹脂部材５２に固定されている。
【００２６】
次に、半導体モジュール１の特徴を説明する。この半導体モジュール１では、半導体素子４４がＯＮ・ＯＦＦを繰返すことにより、半導体素子４４から熱が発生する。半導体素子４４で発生した熱は、絶縁基板２０を介して冷却器１０に伝熱され、冷却器１０によって外部に放熱される。また、半導体素子４４で発生した熱の一部は、リード電極板４８を介して外部に放熱される。
【００２７】
半導体モジュール１では、上記したように、冷却器１０の線膨張率が約２３×１０−６／Ｋであり、絶縁基板２０の線膨張率が約２．３×１０−６／Ｋであり、絶縁基板２０と冷却器１０が異なる熱膨張率を有している。半導体素子４４で発生した熱によって絶縁基板２０と冷却器１０が高温になると、冷却器１０が絶縁基板２０よりも大きく熱膨張する。半導体モジュールで１は、絶縁基板２０と冷却器１０の間に接触部材３４が設けられており、その接触部材３４は絶縁基板２０と冷却器１０の双方に点接触している。接触部材３４と冷却器１０の面方向の相対変位は包囲壁３２によって禁止されているものの、接触部材３４と絶縁基板２０の面方向の相対変位は許容されている。
【００２８】
絶縁基板２０と冷却器１０が高温になり、冷却器１０が絶縁基板２０に比して面方向に大きく熱膨張しても、絶縁基板２０が接触部材３４に対して摺動する。この結果、絶縁基板２０と冷却器１０が高温になったとしても、絶縁基板２０と冷却器１０の間には過大な応力が加わることがない。
【００２９】
半導体モジュール１の他の特徴を整理する。
（１）接触部材３４と放熱グリス３６は、冷却器１０の表面に形成されている溝１０ａ内に設けられている。この態様によると、接触部材３４による応力緩和と放熱グリス３６による冷却特性の向上が両立されている。また、放熱グリス３６が冷却器１０の表面に形成された溝１０ａ内に設けられているので、高温下であっても放熱グリス３６が冷却器１０の表面から漏出することが抑制されている。
（２）図２に示されるように、放熱グリス３６は、平面視したときに、半導体素子４４の少なくとも中央部を含む範囲に配置されている。半導体素子４４における面方向の温度分布は、中央部が最も高くなる。したがって、この中央部に対応して放熱グリス３６が設けられていると、高い冷却特性が得られる。
【００３０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３１】
１０：冷却器
１０ａ：溝
２０：絶縁基板
３２：包囲壁
３４：接触部材
３６：放熱グリス
４４：半導体素子
【図１】
0005807801.tif 000002
【図２】
0005807801.tif 000003